(57)【要約】  【課題】  同規格のバッテリをそれぞれのバッテリに特有の保持形状に拘わらず保持することのできるバッテリ保持装置を提供する。  【解決手段】  バッテリ２の第１の面２１における第１の所定位置Ｐ１を弾性的に押圧支持する第１の支持部１０１と、バッテリ２の第１の面２１とは反対側の第２の面２２の面方向における第１の所定位置Ｐ１とは異なる第２の所定位置Ｐ２を、バッテリ２が該第２の所定位置Ｐ２を支点として回転可能なように支持する第２の支持部１０２と、第１の面２１の面方向における、第１の所定位置Ｐ１との間で第２の所定位置Ｐ２を挟む第３の所定位置Ｐ３を支持する第３の支持部１０３とを備えてなる。  【選択図】  図１
2007103042.tif 000002
【特許請求の範囲】
【請求項１】
バッテリの第１の面における第１の所定位置を弾性的に押圧支持する第１の支持部と、
前記バッテリの前記第１の面とは反対側の第２の面の面方向における前記第１の所定位置とは異なる第２の所定位置を、前記バッテリが該第２の所定位置を支点として回転可能なように支持する第２の支持部と、
前記第１の面の面方向における、前記第１の所定位置との間で前記第２の所定位置を挟む第３の所定位置を支持する第３の支持部と
を備えてなることを特徴とするバッテリ保持装置。
【請求項２】
請求項１に記載のバッテリ保持装置において、
前記第２の支持部は、前記バッテリが前記第２の所定位置を支点として回転することを妨げない形状に形成されていることを特徴とするバッテリ保持装置。
【発明の詳細な説明】
【技術分野】
【０００１】
本発明は、バッテリを保持するためのバッテリ保持装置に関するものである。
【背景技術】
【０００２】
従来、バッテリの充電を行なう際などに当該バッテリを保持するためのバッテリ保持装置が知られる。
【発明の開示】
【発明が解決しようとする課題】
【０００３】
上述のような従来のバッテリ保持装置では、バッテリの外周面とバッテリ保持装置における保持部分とが互いに合致するように、バッテリおよびバッテリ保持装置それぞれに特有の保持形状が設けられているのが一般的であり、この保持形状の組み合わせが異なると、外形寸法や電気的特性といった規格が同じ（同規格の）バッテリであっても保持することができない。すなわち、従来のバッテリ保持装置は、一般に特定のバッテリ専用のものであり、特定のバッテリ以外のバッテリは保持することができない。
【０００４】
そのため、複数種類の同規格のバッテリを使用しているユーザはそれらのバッテリが同規格のものであるにも拘わらず、各バッテリ用の専用のバッテリ保持装置を使用しなければならず、複数のバッテリ保持装置を設置するためのスペースの確保、バッテリとバッテリ保持装置の組合せを常に確認しなければならない負担、およびバッテリ毎にバッテリ保持装置を購入するコスト等、問題があった。
【０００５】
本発明は上述した問題点を解決するためになされたものであり、同規格のバッテリをそれぞれのバッテリに特有の保持形状に拘わらず保持することのできるバッテリ保持装置を提供することを目的とする。
【課題を解決するための手段】
【０００６】
上述した課題を解決するため、本発明に係るバッテリ保持装置は、バッテリの第１の面における第１の所定位置を弾性的に押圧支持する第１の支持部と、前記バッテリの前記第１の面とは反対側の第２の面の面方向における前記第１の所定位置とは異なる第２の所定位置を、前記バッテリが該第２の所定位置を支点として回転可能なように支持する第２の支持部と、前記第１の面の面方向における、前記第１の所定位置との間で前記第２の所定位置を挟む第３の所定位置を支持する第３の支持部とを備えてなることを特徴とするものである。
【０００７】
上述のような構成のバッテリ保持装置において、前記第２の支持部は、前記バッテリが前記第２の所定位置を支点として回転することを妨げない形状に形成されていることを特徴とするものである。
【発明の効果】
【０００８】
以上に詳述したように本発明によれば、同規格のバッテリをそれぞれのバッテリに特有の保持形状に拘わらず保持することのできるバッテリ保持装置を提供することができる。
【発明を実施するための最良の形態】
【０００９】
以下、本発明の実施の形態について図面を参照しつつ説明する。
【００１０】
図１は、本実施の形態によるバッテリ保持装置１の構成について説明するための分解斜視図である。本実施の形態によるバッテリ保持装置１は、第１の部材１ａおよび第２の部材１ｂから構成されており、バッテリ２と同様な外形寸法および電気的特性を有する（同一規格の）種々のバッテリを保持可能となっている。
【００１１】
具体的に、バッテリ保持装置１における第１の部材１ａは第２の支持部１０２および第３の支持部１０３を有し、第２の部材１ｂは第１の支持部１０１を有しており、これら第１の支持部１０１〜第３の支持部１０３によってバッテリ２を３点支持することで保持する構成となっている。なお、ここではバッテリ保持装置１における第２の部材１ｂにバッテリ充電用の端子１０４が設けられており、全体としてバッテリ保持装置１を備えた充電器Ｃが構成されている。
【００１２】
図２は、第１の部材１ａと第２の部材１ｂとを組み合わせた状態のバッテリ保持装置１の中央を垂直面で切断した様子を横方向から見た縦断面図（後述の図３に示す断面位置と同様）である。
【００１３】
本実施の形態によるバッテリ保持装置１では、バッテリ２の底面に設けられた不図示の端子部分を、端子１０４（あるいは第１の支持部１０１）へ向けて挿入してゆき、バッテリ２の上部側面を第３の支持部１０３に当接させることによってバッテリ２の保持が実現される。図３は本実施の形態によるバッテリ保持装置１にてバッテリ２を保持した状態を示す図であり、図４は図３におけるＡ−Ａ方向断面図である。
【００１４】
図４に示すように、第１の支持部１０１は、バッテリ保持装置１に挿入された状態のバッテリ２の第１の面２１における第１の所定位置Ｐ１（ここではバッテリ２の下端近傍）を弾性的に押圧支持する。ここでは、第１の支持部１０１は板バネの作用により弾性的にバッテリ２を押圧支持する構成となっているが、これに限られるものではなく、つる巻きバネやゴム等の作用によって弾性的に押圧する構成とすることもできる。
【００１５】
また、第２の支持部１０２は、バッテリ保持装置１に挿入された状態のバッテリ２の第１の面２１とは反対側の第２の面２２の面方向における第１の所定位置Ｐ１とは異なる第２の所定位置Ｐ２（ここではバッテリ２の中央近傍）を、バッテリ２が該第２の所定位置Ｐ２を支点として回転可能なように支持する。
【００１６】
なお、本実施の形態では第２の支持部１０２は、バッテリ２のバッテリ保持装置１への挿入方向と略直交する方向（ここでは略水平方向）に延びる半円柱状に形成されている。第２の支持部１０２をこのような構成とすることで、バッテリ２が第２の所定位置Ｐ２を支点として回転することを妨げることがない。
【００１７】
図５に、図４における第２の支持部１０２近傍の拡大図を示す。もちろん、第２の支持部１０２の形状は、バッテリ２が第２の所定位置Ｐ２を支点として回転することを妨げない形状であればよく、例えば三角柱等の形状であってもよい。
【００１８】
また、第３の支持部１０３は、バッテリ保持装置１に挿入された状態のバッテリ２の第１の面２１の面方向における、第１の所定位置Ｐ１との間で第２の所定位置Ｐ２を挟む第３の所定位置Ｐ３（ここではバッテリ２の上端近傍）を支持する。図４ではバッテリ２の上端近傍における側面および上面を支持する構成としているが、バッテリ２の上端近傍における側面のみを支持する構成としてもよい。図４で示す構成は、車載で使用される事、バッテリ充電用の端子１０４によりバッテリ装着時にバッテリへ常に上方向に力が加わる事といった、使用目的や使用状況に合わせた構成としている。
【００１９】
バッテリ２がバッテリ保持装置１に保持されている状態では、バッテリ２の背面下部に第１の支持部１０１からの前面方向への押圧力が加わる。この荷重が、バッテリ２の前面中央に接触する第２の支持部１０２を支点とするてこの原理によりバッテリ２の上部に働き、バッテリ２の上部側面を第３の支持部１０３に押し付けることで、バッテリ２が保持される。
【００２０】
なお、バッテリの保持強度は、第１の支持部１０１における押圧力（弾性力）を変更することによって任意の強度に設定することができる。具体的に、第１の支持部１０１における押圧力は、板バネ、つる巻きバネおよびゴム等を異なる弾性係数のものに交換する、予め第１の支持部１０１のバッテリ２を保持していない状態における押圧方向における待機位置を調整する等によって調整する。
【００２１】
なお、上述の実施の形態では、第２の支持部１０２および第３の支持部１０３が第１の部材１ａに設けられ、第１の支持部１０１が第２の部材１ｂに設けられている構成を示したが、これに限られるものではなく、第１の支持部１０１〜第３の支持部１０３を１つの部材に一体的に設ける構成としてもよいことは言うまでもない。
【００２２】
また、本実施の形態では、バッテリ保持装置１を備えたバッテリ充電器Ｃの例を挙げたが、これに限られるものではなく、バッテリを保持する機能のみを有するバッテリ保持装置に適用する場合にも同様の効果を奏する。
【００２３】
以上、本実施の形態によれば、同規格のバッテリをそれぞれのバッテリに特有の保持形状に拘わらず保持することができ、バッテリ保持装置（或いは充電器）の共用が可能となる。よって、保持形状の異なるバッテリ毎にバッテリ保持装置を用意する必要が無くなり、バッテリ保持装置の購入費用の削減、設置場所の省スペース化に寄与することができる。
【００２４】
また、バッテリの保持強度を調整できる構成としたことにより、（１）着脱性を優先して軽い力でバッテリの着脱を行なえるようにする、（２）耐震性を優先して車載時の振動でもバッテリが外れないようにする、といったように使用条件や使用目的に応じた汎用性の高いバッテリ保持装置およびこれを備えたバッテリ充電器を提供することができる。
【図面の簡単な説明】
【００２５】
【図１】本実施の形態によるバッテリ保持装置１の構成について説明するための分解斜視図である。
【図２】第１の部材１ａと第２の部材１ｂとを組み合わせた状態のバッテリ保持装置１の中央を垂直面で切断した様子を横方向から見た縦断面図である。
【図３】本実施の形態によるバッテリ保持装置１にてバッテリ２を保持した状態を示す図である。
【図４】図３におけるＡ−Ａ方向断面図である。
【図５】図４における第２の支持部１０２近傍の拡大図である。
【符号の説明】
【００２６】
１  バッテリ保持装置、１０１  第１の支持部、１０２  第２の支持部、１０３  第３の支持部、２  バッテリ、２１  第１の面、２２  第２の面。
【図１】
2007103042.tif 000003
【図２】
2007103042.tif 000004
【図３】
2007103042.tif 000005
【図４】
2007103042.tif 000006
【図５】
2007103042.tif 000007